(57)【特許請求の範囲】
【請求項１】
建物の開口部の扉支持側枠に枢着された扉を開閉する開き戸において、手動にて開けた扉を自動的に閉じるドアクローザであって、
前記開口部の上枠に取付けられる基体と、
該基体に対して垂直中心軸まわりに回動可能な略水平方向に延びるアーム体と、
該アーム体の遊端部に垂直連結軸まわりに回動可能に連結される基部、及び、該基部から水平方向に延びる略平行な２本の係合片からなる、平面視略コ字状の凹部を有する係合体と、
前記アーム体及び係合体を前記扉支持側枠に近づく方向へ回動させるように付勢する付勢手段と、
前記アーム体及び係合体の前記扉支持側枠に近づく方向への回動時に制動をかける制動力付与手段と、
前記開き戸の開状態において、前記係合体の凹部が前記扉に向かう所定位置で、前記アーム体及び係合体が回動しない停留状態とする停留保持手段と、
前記停留状態において、前記扉の前記係合体の凹部に対向する位置に設けられる駆動体とを備え、
前記停留状態において前記扉を閉方向へ移動させることにより、前記駆動体が前記係合体の凹部に係合して前記停留状態が解除され、前記付勢手段により前記アーム体及び係合体が前記扉支持側枠に近づく方向へ回動して前記開き戸が閉状態となり、該閉状態から前記扉を開方向へ移動させることにより、前記アーム体及び係合体が前記扉支持側枠から離れる方向へ回動して前記所定位置で前記停留状態となり、前記駆動体と前記係合体との係合が解除されることを特徴とするドアクローザ。
【請求項２】
前記アーム体の垂直中心軸を中心とし、該垂直中心軸と前記垂直連結軸との距離を半径とする、前記扉支持側枠方向から前記扉方向まで延びる円弧状外側面を前記基体に形成し、
前記垂直中心軸と前記垂直連結軸との距離を半径とする円弧状内側面を、該内側面に沿う周方向の中間に前記垂直連結軸が位置し、かつ、前記円弧状外側面に外接可能に、前記係合体の基部に形成し、
前記円弧状外側面の扉方向端に前記垂直連結軸が位置して前記円弧状内側面が前記円弧状外側面に外接する状態から、前記係合体が前記扉支持側枠から離れる方向に回動した場合に、前記円弧状内側面が外接する停留外側面を前記基体に形成し、
前記付勢手段を、圧縮コイルばね又は引張コイルばねの復元力を前記係合体に作用させるものとし、
前記駆動体を、その軸方向が垂直方向であるピンとし、前記平面視略コ字状の係合体の２本の係合片の内側先端部に、前記停留状態において前記扉支持側枠に近づくにつれて前記扉方向に傾斜する傾斜面を形成してなり、
前記係合体の円弧状内側面が前記基体の停留外側面に外接した状態では、該係合体が前記垂直連結軸まわりに前記扉支持側枠から離れる方向に回動するように前記付勢手段により付勢されて前記停留状態となり、前記基体の円弧状外側面の扉方向端に前記垂直連結軸が位置し前記係合体の円弧状内側面が前記基体の円弧状外側面に外接した状態では、該係合体が前記垂直連結軸まわりに前記扉支持側枠に近づく方向に回動するように前記付勢手段により付勢されて前記停留状態が解除されるため、
前記停留状態において前記扉を閉方向へ移動させて前記ピンを前記係合体の扉支持側枠に近い側の係合片の前記傾斜面に当接させることにより、前記係合体が該側枠側へ回動して前記停留状態が解除され、前記ピンが前記係合体の凹部に係合した状態で前記付勢手段の付勢力により前記アーム体及び係合体が前記扉支持側枠に近づく方向へ回動することにより前記扉が閉じられて前記開き戸が閉状態となり、該閉状態から前記扉を開方向へ移動させて前記アーム体及び係合体を前記扉支持側枠から離れる方向へ回動させることにより、前記ピンが前記係合体の扉支持側枠から遠い側の係合片の前記傾斜面に当接し、前記円弧状外側面の扉方向端に前記垂直連結軸が位置する状態で前記係合体が前記扉支持側枠から離れる方向へ回動するため、前記停留状態となり、前記駆動体と前記係合体との係合が解除される請求項１記載のドアクローザ。
【請求項３】
前記制動力付与手段が前記基体に取付けられたロータリダンパであり、該ロータリダンパのロータ軸を前記アーム体の垂直中心軸としてなる請求項１記載のドアクローザ。
【発明の詳細な説明】
【技術分野】
【０００１】
本発明は、手動にて開けた扉を自動的に閉じるドアクローザの改良に関するものである。
【背景技術】
【０００２】
屋外と屋内との間、部屋と廊下との間、若しくは、部屋と部屋との間等の通行及び換気又は遮断等を行うために、建物の開口部の扉支持側枠に枢着された扉を開閉する開き戸において、手動にて開けた扉を自動的に閉じるドアクローザが広く用いられている。該ドアクローザにおいては、扉を閉方向へ付勢する付勢手段と、該付勢手段により扉が閉方向へ移動する際に制動をかける制動力付与手段とを備えてなる構成が一般的である。
【０００３】
従来のドアクローザとして、建物の開口部上枠と扉との間を２本の揺動アームからなるリンク機構により連結し、前記付勢手段であるねじりコイルばねにより付勢することにより、手動にて開けた扉を自動的に閉じるものがある（以下において、「タイプ１」という。例えば、特許文献１参照。）。このようなドアクローザにおける前記制動力付与手段としては、例えばオイルダンパ等の様々な方式のダンパが用いられる（例えば、特許文献２参照。）。
【０００４】
また、扉上端部の凹所に収容されたドアクローザ本体と、前記開口部上枠の凹所に収容されたガイドレールと、扉の上端面と前記上枠の下面の間隙で水平に回動することができるように、一端部が前記ドアクローザ本体の回動軸に取付けられ他端部には前記ガイドレールのカイド溝に案内される摺動ガイド部材が設けられたアームとからなる揺動スライダクランク機構からなり、前記ドアクローザ本体及びガイドレールを目立たないようにしたコンシールドタイプのドアクローザもある（以下において、「タイプ２」という。例えば、特許文献３参照。）。
【０００５】
【特許文献１】特開２００３−１２９７４１号公報（図１−３）
【特許文献２】特開平８−９３３１２号公報（第２−３頁、図２−４）
【特許文献３】実開平７−２９２７１号公報（図１）
【発明の開示】
【発明が解決しようとする課題】
【０００６】
以上のような従来のドアクローザは、扉の全開位置から全閉位置までの全範囲にわたって前記付勢手段により扉に付勢力が作用するため、特に、老人、子供、負傷者又は身体障害者等にとっては、操作性が悪い場合があるという問題点がある。また、前記２本の揺動アームからなるリンク機構又は揺動スライダクランク機構、付勢手段及び制動力付与手段等の構成部品の数が多いため、コストが増大すること及び寸法が大きくなること等の問題点がある。さらに、タイプ１のドアクローザにおいては、比較的長い前記２本の揺動アームが水平面内に突出して移動することから、すっきりとした外観とすることができないという問題点がある。さらにまた、タイプ２のドアクローザにおいても、開き戸の閉状態（扉の全閉位置）では前記アームが目立たないが、開き戸の開状態では前記アームが水平面内を移動して目立つという問題点がある。
【０００７】
そこで、本発明が前述の状況に鑑み、解決しようとするところは、老人、子供、負傷者又は身体障害者等にとっても操作性が良いドアクローザを提供する点にある。また、簡素かつ省スペースな構成により設置上の制約が少ないとともに、コスト低減化を図ることができるドアクローザを提供する点にある。さらに、建物の開口部上方に比較的長い揺動アームが水平面内を移動することがなく、すっきりとした外観とすることができるドアクローザを提供する点にある。
【課題を解決するための手段】
【０００８】
本発明に係るドアクローザは、前記課題解決のために、建物の開口部の扉支持側枠に枢着された扉を開閉する開き戸において、手動にて開けた扉を自動的に閉じるドアクローザであって、前記開口部の上枠に取付けられる基体と、該基体に対して垂直中心軸まわりに回動可能な略水平方向に延びるアーム体と、該アーム体の遊端部に垂直連結軸まわりに回動可能に連結される基部、及び、該基部から水平方向に延びる略平行な２本の係合片からなる、平面視略コ字状の凹部を有する係合体と、前記アーム体及び係合体を前記扉支持側枠に近づく方向へ回動させるように付勢する付勢手段と、前記アーム体及び係合体の前記扉支持側枠に近づく方向への回動時に制動をかける制動力付与手段と、前記開き戸の開状態において、前記係合体の凹部が前記扉に向かう所定位置で、前記アーム体及び係合体が回動しない停留状態とする停留保持手段と、前記停留状態において、前記扉の前記係合体の凹部に対向する位置に設けられる駆動体とを備え、前記停留状態において前記扉を閉方向へ移動させることにより、前記駆動体が前記係合体の凹部に係合して前記停留状態が解除され、前記付勢手段により前記アーム体及び係合体が前記扉支持側枠に近づく方向へ回動して前記開き戸が閉状態となり、該閉状態から前記扉を開方向へ移動させることにより、前記アーム体及び係合体が前記扉支持側枠から離れる方向へ回動して前記所定位置で前記停留状態となり、前記駆動体と前記係合体との係合が解除されるものである。
【０００９】
ここで、前記アーム体の垂直中心軸を中心とし、該垂直中心軸と前記垂直連結軸との距離を半径とする、前記扉支持側枠方向から前記扉方向まで延びる円弧状外側面を前記基体に形成し、前記垂直中心軸と前記垂直連結軸との距離を半径とする円弧状内側面を、該内側面に沿う周方向の中間に前記垂直連結軸が位置し、かつ、前記円弧状外側面に外接可能に、前記係合体の基部に形成し、前記円弧状外側面の扉方向端に前記垂直連結軸が位置して前記円弧状内側面が前記円弧状外側面に外接する状態から、前記係合体が前記扉支持側枠から離れる方向に回動した場合に、前記円弧状内側面が外接する停留外側面を前記基体に形成し、前記付勢手段を、圧縮コイルばね又は引張コイルばねの復元力を前記係合体に作用させるものとし、前記駆動体を、その軸方向が垂直方向であるピンとし、前記平面視略コ字状の係合体の２本の係合片の内側先端部に、前記停留状態において前記扉支持側枠に近づくにつれて前記扉方向に傾斜する傾斜面を形成してなり、前記係合体の円弧状内側面が前記基体の停留外側面に外接した状態では、該係合体が前記垂直連結軸まわりに前記扉支持側枠から離れる方向に回動するように前記付勢手段により付勢されて前記停留状態となり、前記基体の円弧状外側面の扉方向端に前記垂直連結軸が位置し前記係合体の円弧状内側面が前記基体の円弧状外側面に外接した状態では、該係合体が前記垂直連結軸まわりに前記扉支持側枠に近づく方向に回動するように前記付勢手段により付勢されて前記停留状態が解除されるため、前記停留状態において前記扉を閉方向へ移動させて前記ピンを前記係合体の扉支持側枠に近い側の係合片の前記傾斜面に当接させることにより、前記係合体が該側枠側へ回動して前記停留状態が解除され、前記ピンが前記係合体の凹部に係合した状態で前記付勢手段の付勢力により前記アーム体及び係合体が前記扉支持側枠に近づく方向へ回動することにより前記扉が閉じられて前記開き戸が閉状態となり、該閉状態から前記扉を開方向へ移動させて前記アーム体及び係合体を前記扉支持側枠から離れる方向へ回動させることにより、前記ピンが前記係合体の扉支持側枠から遠い側の係合片の前記傾斜面に当接し、前記円弧状外側面の扉方向端に前記垂直連結軸が位置する状態で前記係合体が前記扉支持側枠から離れる方向へ回動するため、前記停留状態となり、前記駆動体と前記係合体との係合が解除されると好ましい。
【００１０】
また、前記制動力付与手段が前記基体に取付けられたロータリダンパであり、該ロータリダンパのロータ軸を前記アーム体の垂直中心軸としてなると好ましい。
【発明の効果】
【００１１】
本発明に係るドアクローザによれば、建物の開口部の扉支持側枠に枢着された扉を開閉する開き戸において、手動にて開けた扉を自動的に閉じるドアクローザであって、前記開口部の上枠に取付けられる基体と、該基体に対して垂直中心軸まわりに回動可能な略水平方向に延びるアーム体と、該アーム体の遊端部に垂直連結軸まわりに回動可能に連結される基部、及び、該基部から水平方向に延びる略平行な２本の係合片からなる、平面視略コ字状の凹部を有する係合体と、前記アーム体及び係合体を前記扉支持側枠に近づく方向へ回動させるように付勢する付勢手段と、前記アーム体及び係合体の前記扉支持側枠に近づく方向への回動時に制動をかける制動力付与手段と、前記開き戸の開状態において、前記係合体の凹部が前記扉に向かう所定位置で、前記アーム体及び係合体が回動しない停留状態とする停留保持手段と、前記停留状態において、前記扉の前記係合体の凹部に対向する位置に設けられる駆動体とを備え、前記停留状態において前記扉を閉方向へ移動させることにより、前記駆動体が前記係合体の凹部に係合して前記停留状態が解除され、前記付勢手段により前記アーム体及び係合体が前記扉支持側枠に近づく方向へ回動して前記開き戸が閉状態となり、該閉状態から前記扉を開方向へ移動させることにより、前記アーム体及び係合体が前記扉支持側枠から離れる方向へ回動して前記所定位置で前記停留状態となり、前記駆動体と前記係合体との係合が解除されるので、前記扉の全開位置から全閉位置までの全範囲にわたって前記付勢手段により前記扉に付勢力が作用するものではなく、全閉位置に近い範囲においてのみ前記付勢力を作用させる構成であるため、例えば、老人、子供、負傷者又は身体障害者等にとって、特に扉を開ける際における操作性を向上させることができる。また、前記扉の全閉位置に近い範囲においてのみ前記付勢力を作用させる構成であるため、簡素かつコンパクトな構成となり、設置上の制約が少ないとともに、コスト低減化を図ることができる。さらに、建物の開口部上方に比較的長い揺動アーム等が水平面内を移動することがないため、すっきりとした外観とすることができる。
【００１２】
また、前記ドアクローザが、前記アーム体の垂直中心軸を中心とし、該垂直中心軸と前記垂直連結軸との距離を半径とする、前記扉支持側枠方向から前記扉方向まで延びる円弧状外側面を前記基体に形成し、前記垂直中心軸と前記垂直連結軸との距離を半径とする円弧状内側面を、該内側面に沿う周方向の中間に前記垂直連結軸が位置し、かつ、前記円弧状外側面に外接可能に、前記係合体の基部に形成し、前記円弧状外側面の扉方向端に前記垂直連結軸が位置して前記円弧状内側面が前記円弧状外側面に外接する状態から、前記係合体が前記扉支持側枠から離れる方向に回動した場合に、前記円弧状内側面が外接する停留外側面を前記基体に形成し、前記付勢手段を、圧縮コイルばね又は引張コイルばねの復元力を前記係合体に作用させるものとし、前記駆動体を、その軸方向が垂直方向であるピンとし、前記平面視略コ字状の係合体の２本の係合片の内側先端部に、前記停留状態において前記扉支持側枠に近づくにつれて前記扉方向に傾斜する傾斜面を形成してなり、前記係合体の円弧状内側面が前記基体の停留外側面に外接した状態では、該係合体が前記垂直連結軸まわりに前記扉支持側枠から離れる方向に回動するように前記付勢手段により付勢されて前記停留状態となり、前記基体の円弧状外側面の扉方向端に前記垂直連結軸が位置し前記係合体の円弧状内側面が前記基体の円弧状外側面に外接した状態では、該係合体が前記垂直連結軸まわりに前記扉支持側枠に近づく方向に回動するように前記付勢手段により付勢されて前記停留状態が解除されるため、前記停留状態において前記扉を閉方向へ移動させて前記ピンを前記係合体の扉支持側枠に近い側の係合片の前記傾斜面に当接させることにより、前記係合体が該側枠側へ回動して前記停留状態が解除され、前記ピンが前記係合体の凹部に係合した状態で前記付勢手段の付勢力により前記アーム体及び係合体が前記扉支持側枠に近づく方向へ回動することにより前記扉が閉じられて前記開き戸が閉状態となり、該閉状態から前記扉を開方向へ移動させて前記アーム体及び係合体を前記扉支持側枠から離れる方向へ回動させることにより、前記ピンが前記係合体の扉支持側枠から遠い側の係合片の前記傾斜面に当接し、前記円弧状外側面の扉方向端に前記垂直連結軸が位置する状態で前記係合体が前記扉支持側枠から離れる方向へ回動するため、前記停留状態となり、前記駆動体と前記係合体との係合が解除されるものであると、前記効果に加えて、前記円弧状内側面及び停留外側面並びに圧縮コイルばね又は引張コイルばねの復元力を前記係合体に作用させる付勢手段により、前記停留保持手段を容易に構成することができる。また、前記基体、アーム体及び係合体等の主要構成部品を合成樹脂の成形品として、前記円弧状外側面及び停留外側面を前記基体に、前記円弧状内側面を前記係合体に一体成形することにより、部品点数を削減してさらに簡素な構成とすることができるとともに、動作音を小さくすることができる。
【００１３】
さらに、前記制動力付与手段が前記基体に取付けられたロータリダンパであり、該ロータリダンパのロータ軸を前記アーム体の垂直中心軸としてなると、前記効果に加えて、制動力付与手段を設けながら、部品点数を削減することができる。
【発明を実施するための最良の形態】
【００１４】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、扉を閉じる方向を閉方向（図中矢印Ａ参照。）、開ける方向を開方向という。また、扉を閉じた状態を開き戸の閉状態、開けた状態を開き戸の開状態という。さらに、扉の全閉位置（開き戸の閉状態）で該扉に向かって左右を左右とする。
【００１５】
図１は、本発明の実施の形態に係るドアクローザが用いられた開き戸を示す概略平面図、図２は同じく動作説明用概略平面図であり、図２（ａ）は停留状態を、図２（ｂ）は停留解除状態を、図２（ｃ）は開き戸の閉状態を示している。また、図３は本発明の実施の形態に係るドアクローザの構成を示す分解斜視図である。さらに、図４は、停留状態及び停留解除状態の拡大説明図であり、図４（ａ）は停留状態を、図４（ｂ）は停留解除状態を示している。
【００１６】
図１及び図２に示すように、開き戸１０１は、建物の開口部１０２の左右の側枠の中の扉支持側枠１０３にヒンジ１０４を介して扉１０５が支持され、該扉１０５がヒンジ１０４の垂直軸まわりに回動するものである。そして、本発明のドアクローザ１は、従来のドアクローザのように、扉の全開位置から全閉位置までの全範囲にわたって付勢手段による付勢力が作用するものではなく、従来のドアクローザのような建物の開口部上枠と扉との間を連結する前記２本の揺動アームからなるリンク機構又は揺動スライダクランク機構がないものである。
【００１７】
すなわち、本発明の実施の形態に係るドアクローザ１は、建物の開口部１０２の上枠に取付けられる基体２と、基体２に対して垂直中心軸Ｃ０まわりに回動可能な略水平方向に延びるアーム体３、アーム体３の遊端部に垂直連結軸Ｃ１まわりに回動可能に連結された基部１１及び基部１１から水平方向に延びる略平行な２本の係合片１２，１３からなる、平面視略コ字状の凹部１０を有する係合体４、アーム体３及び係合体４を扉支持側枠１０３に近づく方向へ回動させるように付勢する、圧縮コイルばね８等からなる後述する付勢手段５、アーム体３及び係合体４の扉支持側枠１０３に近づく方向への回動時に制動をかける制動力付与手段であるロータリダンパ６、開き戸１０１の開状態において、係合体４の凹部１０が扉１０５に向かう所定位置で、アーム体３及び係合体４が回動しない停留状態とする後述する停留保持手段、並びに、前記停留状態において、扉１０５の係合体４の凹部１０に対向する位置に設けられた駆動体であり、支持部材３２により扉１０５に取付けられる、軸方向が垂直方向であるピン３１等からなる。
【００１８】
図３に示すように、基体２に形成されたロータリダンパ収容部１５内にロータリダンパ６を収容した状態で、取付ねじ１６，１６を取付孔６ｂ，６ｂに挿通して基体２の収容部１５内のネジ孔に螺合させることにより、ロータリダンパ６は基体２に容易に固定される。そして、ロータリダンパ６の垂直ロータ軸６ａにアーム体３の係合孔３ａを外嵌することにより、該ロータ軸６ａをアーム体３の垂直中心軸Ｃ０としてアーム体３は回動し、該回動動作に対してロータリダンパ６の制動力（緩衝効果）が付与される。このような構成により、ドアクローザ１に制動力付与手段を設けながら、部品点数を削減することができる。
【００１９】
なお、アーム体３の扉支持側枠１０３に近づく方向への回動（例えば、図２の（ｂ）から（ｃ）への動作）に対して制動力を付与し、アーム体３の扉支持側枠１０３から離れる方向への回動（例えば、図２の（ｃ）から（ｂ）への動作）に対しては制動力を付与しないように、ロータリダンパ６としてワンウェイクラッチ等により一方向にのみ制動力を付与するものを用いれば、扉１０５を開ける際の負荷とならないため、より好ましい構成である。
【００２０】
アーム体３の遊端部に垂設された軸３ｂを係合体４の基部１１に形成された通孔１１ａに嵌入することにより、係合体４は垂直連結軸Ｃ１まわりに回動可能にアーム体３に連結される。係合体４の係合片１２，１３には、その内側先端部に、前記停留状態（図１及び図２（ａ）の状態）において扉支持側枠１０３に近づくにつれて扉１０５方向に傾斜する傾斜面１２ａ，１３ａが形成される。
【００２１】
前記停留状態（図１及び図２（ａ）の状態）において、係合体４の基部１１の垂直連結軸Ｃ１よりも扉支持側枠１０３から離れた位置に形成された通孔１１ｂには、プッシュロッド７の一端部に垂設された軸７ａが嵌入され、該プッシュロッド７の他端部に垂設された軸７ｂは基体２に形成された左右方向の長孔１４に挿入され、該軸７ｂは左右方向にスライド可能に支持される。また、圧縮コイルばね８は、基体２に形成されたガイド部９によりガイドされて、そのコイル内にプッシュロッド７のばね支持片７ｃが挿入される。したがって、圧縮コイルばねの復元力による付勢力は、プッシュロッド７を介して係合体４に伝達されるため、このようなプッシュロッド７及び圧縮コイルばね８が、付勢手段５を構成する。なお、圧縮コイルばね８ではなく引張コイルばねを用い、該引張コイルばねの復元力を係合体４に作用させるようにして付勢手段５を構成してもよい。
【００２２】
基体２には、アーム体３の垂直中心軸Ｃ０を中心とし、該垂直中心軸Ｃ０と前記垂直連結軸Ｃ１との距離を半径とする、扉支持側枠１０３方向から扉方向１０５まで延びる円弧状外側面２１が形成される。また、前記垂直中心軸Ｃ０と前記垂直連結軸Ｃ１との距離を半径とする円弧状内側面２２が形成された凸部１１ｃが係合体４の基部１１に設けられ、該円弧状内側面２２に沿う周方向の中間に前記垂直連結軸Ｃ１が位置するとともに、前記円弧状内側面２２は前記円弧状外側面２１に外接可能とされる。なお、前記凸部１１ｃを段部として円弧状内側面２２を形成してもよい。
【００２３】
さらに、図１及び図３に示すように、基体２には、前記円弧状外側面２１の扉１０５方向端に前記垂直連結軸Ｃ１が位置して前記円弧状内側面２２が前記円弧状外側面２１に外接する状態から、係合体４が扉支持側枠１０３から離れる方向に回動すると、前記円弧状内側面２２が外接する停留外側面２３が形成される。
【００２４】
次に、前記停留状態とする停留保持手段について説明する。基体２の円弧状外側面２１の扉１０５方向端に前記垂直連結軸Ｃ１が位置し係合体４の円弧状内側面２２が基体２の停留外側面２３に外接した図４（ａ）に示す状態では、圧縮コイルばね８の復元力による付勢力はプッシュロッド７の軸７ａを介して係合体４に作用するため、該付勢力の方向は図中矢印Ｆ１の方向となる。この状態では、係合体４を前記垂直連結軸Ｃ１まわりに扉支持側枠１０３から離れる方向に回動させる方向のモーメントＭ１が働くため、該係合体４及びアーム３が回動しない停留状態となる。
【００２５】
前記円弧状内側面２２及び停留外側面２３並びにプッシュロッド７及び圧縮コイルばね８等が前記停留保持手段を構成するものであり、このような簡素な構成により前記停留保持手段を実現することができる。しかし、前記停留保持手段は、開き戸１０１の開状態において、係合体４の凹部１０が扉１０５に向かう所定位置で、アーム体３及び係合体４が回動しない停留状態とすることができる構成であればよく、本実施の形態に示した構成に限定されるものではない。なお、つまみ部１３ｂは、ドアクローザ１を開口部１０２の上枠に取付けた後に停留状態としやすくするための操作部である。
【００２６】
図４（ａ）の停留状態において扉１０５を閉方向Ａ（図２（ａ）参照。）へ移動させてピン３１が係合体４の扉支持側枠１０３に近い側の係合片１２の傾斜面１２ａに当接すると、係合体４が扉支持側枠１０３側へ回動し、係合体４の円弧状内側面２２が基体２の円弧状外側面２１に外接した状態となる。この状態では、図４（ｂ）に示すように圧縮コイルばね８の復元力による付勢力はプッシュロッド７の軸７ａを介して係合体４に作用するため、該付勢力の方向は図中矢印Ｆ２の方向となる。この状態では、係合体４を前記垂直連結軸Ｃ１まわりに扉支持側枠１０３に近づく方向に回動させる方向のモーメントＭ２が働くため、前記停留状態は解除される。
【００２７】
該停留解除状態においては、係合体４の前記円弧状内側面２２が基体２の前記円弧状外側面２１に外接しているため、係合体４はプッシュロッド７の軸７ａまわりには回動できず、該円弧状内側面２２及び円弧状外側面２１の曲率半径は同一であるため、係合体４はアーム体３とともに垂直中心軸Ｃ０まわりに扉支持側枠１０３に近づく方向に回動する。したがって、扉１０５は、係合体４の凹部１０に係合しているピン３１とともに閉方向Ａへ移動し、図２（ｂ）の状態から図２（ｃ）の状態まで、付勢手段５の付勢力により自動的かつ確実に閉じられる。
【００２８】
以上のような構成により、ピン３１が係合体４の凹部１０に係合していない状態では、扉１０５はドアクローザ１と分離しているため、扉１０５に対して何ら付勢力が作用することはなく、扉１０５の操作者は、扉１０５を開閉方向に容易に操作することができる。そして、前記操作者が扉１０５を閉じる方向に動かしてピン３１が係合体４の傾斜面１２ａに当接して該係合体４を前記のとおり回動させ、該係合体４の凹部１０にピン３１が係合すると、前記操作者が扉１０５を操作しなくても、前記のとおり扉１０５は付勢手段５の付勢力により自動的かつ確実に閉じられる。さらに、前記操作者が、たとえ乱暴に扉１０５を閉じた場合であっても、前記のとおりアーム体３の垂直中心軸Ｃ０まわりの扉支持側枠１０３に近づく方向の回動に対してはロータリダンパ６の制動力が作用するため、扉１０５がゆっくりと閉じられ、該扉１０５が枠体に衝突して損傷したり騒音が発生することがない。
【００２９】
次に、閉状態の開き戸１０１の扉１０５を開ける動作について説明する。図２の（ｃ）から（ｂ）の状態へ前記操作者が扉１０５を開ける場合においては、前記のとおりロータリダンパ６がアーム体３の扉支持側枠１０３から離れる方向への回動に対しては制動力を付与しないものであれば、扉１０５を開ける動作時にロータリダンパ６の抵抗はなくなり、全閉位置に近い範囲（図２（ｃ）の位置から略図２（ｂ）の位置までの範囲）においてのみ作用する付勢手段５の付勢力に抗する操作力のみにより扉１０５を開けることができる。
【００３０】
図２（ｂ）の状態からさらに扉１０５を開けると、ピン３１が係合体４の前記傾斜面１３ａに当接して、係合体４を扉支持側枠１０３から離れる方向に回動させるため、係合体４の前記円弧状内側面２２が基体２の前記停留外側面２３に外接する前記停留状態となり、ピン３１と係合体４との係合が解除される（図２（ａ）及び図４（ａ）参照。）。したがって、前記停留状態からさらに扉１０５を開ける方向の操作時には、前記のとおり扉１０５のピン３１が係合体４の凹部１０に係合していない状態であるので、扉１０５の操作者は、扉１０５を容易に開けることができる。
【００３１】
以上のとおり、本発明に係るドアクローザ１は、扉１０５の全開位置から全閉位置までの全範囲にわたって扉１０５に付勢力を作用させるものではなく、全閉位置に近い範囲においてのみ付勢手段５により付勢力を作用させる構成であるため、例えば、老人、子供、負傷者又は身体障害者等にとって、特に扉１０５を開ける際における操作性を向上させることができる。また、扉１０５の全閉位置に近い範囲においてのみ付勢力を作用させる構成であるため、構成が簡素かつコンパクトなものとなり、設置上の制約が少ないとともに、コスト低減化を図ることができる。さらに、建物の開口部上方に比較的長い揺動アーム等が水平面内を移動することがないため、すっきりとした外観とすることができる。
【００３２】
さらにまた、ドアクローザ１を構成する基体２、アーム体３、係合体４及びプッシュロッド７は、例えばナイロン、ポリアセタール、ポリプロピレン、ポリエチレンテレフタレート又はＡＢＳ等の合成樹脂の成形品とすることができるため、部品点数を削減してより簡素な構成とすることができるとともに、動作音を小さくすることができる。また、前記円弧状外側面２１及び停留外側面２３を前記基体２に、前記円弧状内側面２２を前記係合体４に一体成形することにより、部品点数を削減してさらに簡素な構成とすることができる。
【００３３】
また、前記のとおりロータリダンパ６、アーム体３、係合体４、プッシュロッド７及び圧縮コイルばね８は基体２に容易に組付けることができ、この組付状態において、基体２を下ケースとし、該下ケースに図示しない上ケースを固定することにより、各構成部品をサンドイッチ状として保持及び保護することができる。すなわち、図１及び図３に示す螺孔１７，１８を用いて前記上ケースを前記下ケースに固定することができる。そして、このような部品点数が少ない一体型でコンパクトなドアクローザ１は、図１及び図３に示す取付孔１９，２０を用いて取付ねじ又は木ねじにより建物の開口部１０２の上枠に容易に取付けることができる。
【００３４】
さらに、従来のドアクローザにおいては、左開き又は右開きの開き戸に応じて左右勝手が存在するが、本発明に係るドアクローザ１では、同一のドアクローザ１の上下を反転させることにより（裏返すことにより）、左開き及び右開きの両方の開き戸に用いることができる。さらにまた、前記下ケース（基体２）及び上ケース並びに係合体４等を合成樹脂とした場合においては、ドアクローザ１の本体外観が樹脂製であるため材料に着色すればよく、通常の金属製部品である場合に必須である耐食性を付与するための表面処理及び塗装工程等が不要となる。
【図面の簡単な説明】
【００３５】
【図１】本発明の実施の形態に係るドアクローザが用いられた開き戸を示す概略平面図である。
【図２】同じく動作説明用概略平面図であり、（ａ）は停留状態を、（ｂ）は停留解除状態を、（ｃ）は開き戸の閉状態を示している。
【図３】本発明の実施の形態に係るドアクローザの構成を示す分解斜視図である。
【図４】停留状態及び停留解除状態の拡大説明図であり、（ａ）は停留状態を、（ｂ）は停留解除状態を示している。
【符号の説明】
【００３６】
Ａ  扉閉方向
Ｃ０  垂直中心軸
Ｃ１  垂直連結軸
１０１  開き戸
１０２  開口部
１０３  扉支持側枠
１０４  ヒンジ
１０５  扉
１  ドアクローザ
２  基体
３  アーム体
３ａ  係合孔
３ｂ  軸
４  係合体
５  付勢手段
６  ロータリダンパ（制動力付与手段）
６ａ  ロータ軸
６ｂ  取付孔
７  プッシュロッド
７ａ，７ｂ  軸
７ｃ  ばね支持片
８  圧縮コイルばね
９  ガイド部
１０  凹部
１１  基部
１１ａ，１１ｂ  通孔
１１ｃ  凸部
１２，１３  係合片
１２ａ，１３ａ  傾斜面
１３ｂ  つまみ部
１４  長孔
１５  ロータリダンパ収容部
１６  取付ねじ
１７，１８  螺孔
１９，２０  取付孔
２１  円弧状外側面
２２  円弧状内側面
２３  停留外側面
３１  ピン（駆動体）
３２  支持部材
【図１】
0004661592.tif 000002
【図２】
0004661592.tif 000003
【図３】
0004661592.tif 000004
【図４】
0004661592.tif 000005